(57)【要約】【課題】パスワードなどの入力された内容を推測されにくくする。【解決手段】本発明の入力装置は、表示部と、前記表示部に重ね合わせて配置されたタッチ面への入力手段の接触または近接を検出し、前記入力手段の接触または近接を検出した前記タッチ面上の位置を示す位置信号を出力する入力検出部と、文字入力を行う旨が入力されると、文字入力に用いられる複数のキーボタンを前記表示部に表示させる制御部と、を有し、前記制御部は、所定のイベントを契機として前記複数のキーボタンの位置関係を変更する。【選択図】図１
2013168001.tif 000002
【特許請求の範囲】
【請求項１】
表示部と、
前記表示部に重ね合わせて配置されたタッチ面への入力手段の接触または近接を検出し、前記入力手段の接触または近接を検出した前記タッチ面上の位置を示す位置信号を出力する入力検出部と、
文字入力を行う旨が入力されると、文字入力に用いられる複数のキーボタンを前記表示部に表示させる制御部と、を有し、
前記制御部は、所定のイベントを契機として前記複数のキーボタンの位置関係を変更することを特徴とする入力装置。
【請求項２】
請求項１記載の入力装置において、
前記制御部は、前記複数のキーボタンの位置関係をランダムに変更することを特徴とする入力装置。
【請求項３】
請求項１または２記載の入力装置において、
前記制御部は、前記複数のキーボタンを表示可能な範囲内において分散して表示させることを特徴とする入力装置。
【請求項４】
請求項１から３のいずれか１項に記載の入力装置において、
前記制御部は、前記文字入力状態において、前記キーボタンの位置を移動させながら表示させることを特徴とする入力装置。
【請求項５】
請求項１から４のいずれか１項に記載の入力装置において、
前記制御部は、前記文字入力を行う旨の入力を契機として前記複数のキーボタンの位置関係を変更することを特徴とする入力装置。
【請求項６】
請求項１から４のいずれか１項に記載の入力装置において、
前記制御部は、前記文字入力状態において所定時間の経過を契機として前記複数のキーボタンの位置関係を変更することを特徴とする入力装置。
【請求項７】
請求項１から４のいずれか１項に記載の入力装置において、
前記制御部は、前記キーボタンの表示位置に対応するタッチ面上の位置に前記入力手段の接触または近接させるタッチ入力が行われることを契機として前記複数のキーボタンの位置関係を変更することを特徴とする入力装置。
【請求項８】
表示部と、前記表示部に重ね合わせて配置されたタッチ面への入力手段の接触または近接を検出し、前記入力手段の接触または近接を検出した前記タッチ面上の位置に応じた位置信号を出力する入力検出部と、を有し、文字入力を受け付ける入力装置の制御方法であって、
文字入力を行う旨が入力されると、文字入力に用いられる複数のキーボタンを前記表示部に表示させ、
所定のイベントを契機として前記複数のキーボタンの位置関係を変更することを特徴とする入力装置の制御方法。
【請求項９】
表示部と、前記表示部に重ね合わせて配置されたタッチ面への入力手段の接触または近接を検出し、前記入力手段の接触または近接を検出した前記タッチ面上の位置に応じた位置信号を出力する入力検出部と、を有し、文字入力を受け付ける入力装置に、
文字入力を行う旨が入力されると、文字入力に用いられる複数のキーボタンを前記表示部に表示させる処理と、
所定のイベントを契機として前記複数のキーボタンの位置関係を変更する処理と、を実行させるプログラム。
【請求項１０】
請求項１から７のいずれか１項に記載の入力装置を備える情報処理装置。
【発明の詳細な説明】
【技術分野】
【０００１】
本発明は、操作入力を受け付ける入力装置、入力装置の制御方法、情報処理装置、および、プログラムに関する。
【背景技術】
【０００２】
近年、携帯電話、スマートフォンなどの情報処理装置においては、操作入力を受け付ける入力装置として、タッチパネルを備えるものがある。タッチパネルは、表示部と、表示部に重ね合わせて配置されたタッチ面への指などの入力手段の接触または近接を検出し、入力手段の接触または近接を検出したタッチ面上の位置を示す位置信号を出力する入力検出部とを有する。タッチパネルを介して操作入力が行われる情報処理装置によれば、操作内容を示す操作ボタンなどが表示部に表示され、ユーザが操作ボタンの表示位置に対応するタッチ面上の位置に入力手段を接触または近接させるタッチ入力を行うことで、その操作ボタンに示される操作内容の入力が受け付けられるため、直感的な操作入力が可能となり、使い勝手の向上を図ることができる。
【０００３】
情報処理装置は、多様な機能を有しており、また、個人情報を含む多様なデータが保存されている。そのため、情報処理装置を紛失した場合などに、拾得者に悪用されたり、個人情報などが漏洩したりするおそれがある。そこで、情報処理装置の中には、所定の操作などが行われることで以後の操作入力を無効とするロック状態に移行し、予め定められたパスワードが入力されると、ロック状態を解除して操作入力を有効とするものがある。
【０００４】
タッチパネルを介して操作入力が行われる情報処理装置においては、ロック状態でパスワード入力を行う旨が入力されると、それぞれに平仮名、英文字、数字などが割り当てられた複数のキーボタンが表示部に表示され、キーボタンに対するタッチ入力が行われることで入力された入力パスワードが予め設定された認証用パスワードと一致していれば、ロック状態が解除される。パスワード入力は、人の指やタッチペンなどを用いて行われるが、指を用いてパスワード入力が行われる場合には、タッチ面に指を接触させた際に付着する油脂の跡が残るため、その痕跡から第三者にパスワードを推測されるおそれがある。また、人の指、タッチペンのいずれを用いた場合にも、パスワード入力を行う際の手の動きから、第三者にパスワードが推測されるおそれがある。
【０００５】
そこで、特許文献１（特開２０００−２０４６８号公報）には、テンキー状に配置された複数のキーボタンからなる入力用画像を表示部に表示する入力装置において、所定の操作入力を契機として、複数のキーボタンへの数字の割り当てのパターンを変更したり、入力用画像の表示位置を変更したりする技術が開示されている。この技術によれば、キーボタンへの数字の割り当てのパターンを変更したり、入力用画像の表示位置を変更したりすることで、同じパスワードを入力する場合にも、特定のキーボタンの表示位置だけに油脂が付着することがなくなり、また、手の動きが異なるものとなるため、第三者にパスワードを推測されにくくなる。
【先行技術文献】
【特許文献】
【０００６】
【特許文献１】特開２０００−２０４６８号公報
【発明の概要】
【発明が解決しようとする課題】
【０００７】
特許文献１に開示の技術においては、複数のキーボタンへの数字の割り当てのパターンや操作入力画面の表示位置は変更されるが、複数のキーボタンの位置関係は固定とされている。そのため、パスワード入力を行う際の手の動きから入力用画像におけるどの位置のキーボタンへのタッチ入力が行われたかが予測可能となり、パスワードが推測されるおそれがある。
【０００８】
本発明の目的は、パスワードを推測されにくくし、セキュリティの向上を図ることができる入力装置、入力装置の制御方法、情報処理装置、および、プログラムを提供することにある。
【課題を解決するための手段】
【０００９】
上記目的を達成するために本発明の入力装置は、
表示部と、
前記表示部に重ね合わせて配置されたタッチ面への入力手段の接触または近接を検出し、前記入力手段の接触または近接を検出した前記タッチ面上の位置を示す位置信号を出力する入力検出部と、
文字入力を行う旨が入力されると、文字入力に用いられる複数のキーボタンを前記表示部に表示させる制御部と、を有し、
前記制御部は、所定のイベントを契機として前記複数のキーボタンの位置関係を変更する。
【００１０】
上記目的を達成するために本発明の入力装置の制御方法は、
表示部と、前記表示部に重ね合わせて配置されたタッチ面への入力手段の接触または近接を検出し、前記入力手段の接触または近接を検出した前記タッチ面上の位置に応じた位置信号を出力する入力検出部と、を有し、文字入力を受け付ける入力装置の制御方法であって、
文字入力を行う旨が入力されると、文字入力に用いられる複数のキーボタンを前記表示部に表示させ、
所定のイベントを契機として前記複数のキーボタンの位置関係を変更する。
【００１１】
上記目的を達成するために本発明のプログラムは、
表示部と、前記表示部に重ね合わせて配置されたタッチ面への入力手段の接触または近接を検出し、前記入力手段の接触または近接を検出した前記タッチ面上の位置に応じた位置信号を出力する入力検出部と、を有し、文字入力を受け付ける入力装置に、
文字入力を行う旨が入力されると、文字入力に用いられる複数のキーボタンを前記表示部に表示させる処理と、
所定のイベントを契機として前記複数のキーボタンの位置関係を変更する処理と、を実行させる。
【００１２】
上記目的を達成するために本発明の情報処理装置は、
上述した入力装置を備える。
【発明の効果】
【００１３】
本発明によれば、パスワードを推測されにくくし、セキュリティの向上を図ることができる。
【図面の簡単な説明】
【００１４】
【図１】本発明の一実施形態の入力装置の構成を示すブロック図である。
【図２】図１に示す入力装置の動作を示すフローチャートである。
【図３】一般的なキー配置を示す図である。
【図４】関連する入力装置において表示される入力画面の一例を示す図である。
【図５】図１に示す表示部に表示される入力画面の一例を示す図である。
【図６】関連する入力装置において表示される入力画面の他の一例を示す図である。
【図７】図１に示す表示部に表示される入力画面の他の一例を示す図である。
【図８】図１に示す表示部に表示される入力画面の他の一例を示す図である。
【図９】図１に示す表示部に表示される入力画面の他の一例を示す図である。
【発明を実施するための形態】
【００１５】
以下に、本発明を実施するための形態について図面を参照して説明する。
【００１６】
本実施形態の入力装置は、携帯電話、スマートフォン、タブレット型パーソナルコンピュータ、ノート型パーソナルコンピュータ、携帯型ゲーム機、ＰＤＡ（Ｐｅｒｓｏｎａｌ  Ｄａｔａ  Ａｓｓｉｓｔａｎｃｅ）などの種々の情報処理装置に搭載され、情報処理装置への操作入力を受け付けるものである。
【００１７】
図１は、本発明の一実施形態の入力装置１０の構成を示すブロック図である。
【００１８】
図１に示す入力装置１０は、表示部１１と、入力検出部１２と、制御部１３と、を有する。
【００１９】
表示部１１は、制御部１３の制御に従い、操作内容を示す操作ボタンを含む操作画面などの種々の画面を表示する。
【００２０】
入力検出部１２は、表示部１１に重ね合わせて配置されたタッチ面への指、スタイラスペンなどの入力手段の接触または近接を検出し、入力手段の接触または近接を検出したタッチ面上の位置を示す位置信号を制御部１３に出力する。
【００２１】
制御部１３は、入力検出部１２から位置信号が出力されると、その位置信号に示されるタッチ面上の位置に対応する表示部１１上の位置に表示されている操作ボタンに示される操作入力を受け付け、入力された操作内容に応じた信号を、図１においては不図示の情報処理装置内の各部に出力する。
【００２２】
また、制御部１３は、所定の操作入力が行われることで以後の操作入力を無効とするロック状態に移行可能であり、ロック状態においてパスワード入力を行う旨が入力されると、複数のキーボタンを含む入力画面を表示部１１に表示させる。各キーボタンには平仮名、英文字、数字、記号などが割り当てられている。なお、以下では、平仮名、英文字、数字、記号などを総称して文字と称する。制御部１３は、あるキーボタンに対するタッチ入力が行われると、そのキーボタンに割り当てられた文字が入力されたものとして、入力パスワードを特定する。また、制御部１３は、入力パスワードと予め記憶している認証用パスワードとが一致するか否かを判定し、入力パスワードと認証用パスワードとが一致する場合には、ロック状態を解除する。
【００２３】
次に、本実施形態の入力装置１０の動作について説明する。
【００２４】
図２は、ロック状態の解除時の入力装置１０の動作を示すフローチャートである。
【００２５】
所定の操作入力が行われ、ロック状態に移行すると、制御部１３は、例えば、所定の時間間隔でパスワード入力を行う旨が入力されたか否かを判定する（ステップＳ２０１）。
【００２６】
パスワード入力を行う旨が入力されていない場合には（ステップＳ２０１：Ｎｏ）、制御部１３は、ロック状態を維持する（ステップＳ２０２）。
【００２７】
パスワード入力を行う旨が入力された場合には（ステップＳ２０１：Ｙｅｓ）、制御部１３は、入力画面を表示部１１に表示させ（ステップＳ２０３）、パスワード入力を要求する（ステップＳ２０４）。
【００２８】
ここで、本実施形態の入力装置１０との比較のための、一般的な入力装置において表示される入力画面について説明する。
【００２９】
まず、携帯電話などにおける一般的なキー配置を図３に示す。
【００３０】
図３に示すように、携帯電話などにおける一般的なキー配置は、数字の「０」から「９」にそれぞれ対応する数字ボタン３１と、「＃」ボタン３２と、「＊」ボタン３３とが、３行×４列のレイアウトで配置されている。
【００３１】
図４は、一般的な入力装置において表示される入力画面４０の一例を示す図である。
【００３２】
図４に示すように、入力画面４０においては、数字の「０」から「９」がそれぞれ割り当てられたキーボタン４１が、図３に示す一般的なキー配置における数字の「０」から「９」に対応する各数字ボタン３１と同様の配置で表示される。また、一般的なキー配置における「＃」ボタン３２に対応する位置に、パスワード入力が完了した旨を示すＯＫボタン４２が表示され、「＊」ボタン３３に対応する位置に、パスワード入力をキャンセルする旨を示すキャンセルボタン４３が表示される。
【００３３】
また、入力画面４０においては、入力されたパスワードが表示される入力表示領域４４が表示される。なお、通常、第三者による盗み見などを防ぐために、入力表示領域４４には、入力されたパスワード（図４の例においては、０から９の数字）自体が表示されるのではなく、パスワードの入力文字数に応じて「＊」などの記号が表示される。
【００３４】
図５は、本実施形態の入力装置１０において表示される入力画面５０の一例を示す図である。図５において、図４と同様の構成については同じ符号を付し、説明を省略する。
【００３５】
制御部１３は、数字の「０」から「９」がそれぞれ割り当てられたキーボタンの表示位置を各キーボタンが重複しないようにして、ランダムに決定する。そのため、図５に示すように、入力画面５０においては、数字の「０」から「９」がそれぞれ割り当てられたキーボタン５１が、図３に示す一般的なキー配置とは異なり、表示可能な範囲内において分散して表示される。また、入力画面５０においては、ＯＫボタン４２、キャンセルボタン４３、および、入力表示領域４４が表示される。
【００３６】
再び、図２を参照すると、制御部１３は、キーボタンに対するタッチ入力が行われると、そのキーボタンに割り当てられた数字が入力されたものとして、入力パスワードを特定する。さらに、制御部１３は、ＯＫボタン４２に対するタッチ入力が行われたか否かに応じて、パスワード入力が完了したか否かを判定する（ステップＳ２０５）。
【００３７】
パスワード入力が完了していない場合には（ステップＳ２０５：Ｎｏ）、制御部１３は、ステップＳ２０５の処理を繰り返す。
【００３８】
パスワード入力が完了した場合には（ステップＳ２０５：Ｙｅｓ）、制御部１３は、入力パスワードと認証用パスワードとが一致するか否かを判定する（ステップＳ２０６）。
【００３９】
入力パスワードと認証用パスワードとが一致しない場合には（ステップＳ２０６：Ｎｏ）、制御部１３は、入力表示領域４４の表示をクリアし、ステップＳ２０４の処理に戻る。
【００４０】
入力パスワードと認証用パスワードとが一致する場合には（ステップＳ２０６：Ｙｅｓ）、制御部１３は、ロック状態を解除する（ステップＳ２０７）。
【００４１】
上述した一連の処理を経てロック状態が解除された後、再び、所定の操作が行われ、ロック状態に移行したとする。
【００４２】
パスワード入力を行う旨が入力されると、制御部１３は、再び、入力画面を表示部１１に表示させる。なお、以下では、制御部１３は、パスワード入力を行う旨の入力を契機として、入力画面における複数のキーボタンの位置関係を変更するものとする。
【００４３】
ここで、比較のために、特許文献１に開示の技術を図４に示す入力画面４０を表示する入力装置に適用した場合に表示される入力画面６０の一例を図６に示す。なお、図６において、図４と同様の構成については同じ符号を付し、説明を省略する。
【００４４】
上述したように、特許文献１に開示の技術においては、複数のキーボタン４１の位置関係は同じままで、各キーボタン４１への数字の割り当てのパターンが変更される。そのため、入力画面４０において数字の「０」から「９」が割り当てられたキーボタンにそれぞれ、入力画面６０においては数字の「８」、「７」、「１」、「５」、「０」、「３」、「４」、「９」、「２」、「６」が割り当てられている。
【００４５】
このように、各キーボタン４１への数字の割り当てのパターンを変更することで、同じパスワードを入力する場合にも、パスワード入力を行う際の手の動きなどからパスワードを第三者に推測されにくくすることができる。しかし、入力画面６０と入力画面４０とで複数のキーボタン４１の位置関係は同じであるため、パスワード入力を行う際の手の動きからどの位置のキーボタンへのタッチ入力が行われたかが予測可能となり、パスワードが推測されるおそれがある。
【００４６】
図７は、本実施形態の入力装置１０において、表示部１１に表示される入力画面７０の一例を示す図である。図７において、図５と同様の構成については同じ符号を付し、説明を省略する。
【００４７】
図７に示すように、入力画面７０においては、数字の「０」から「９」がそれぞれ割り当てられたキーボタン５１が、表示可能な範囲内において分散して表示される。ここで、入力画面７０と図５に示す入力画面５０とを比較すると、複数のキーボタン５１の位置関係が異なっている。そのため、キーボタンの位置を予測することが困難となり、ユーザがパスワード入力を行う際の手の動きを解析してパスワードを推測することが困難となる。
【００４８】
このように本実施形態によれば、入力装置１０は、所定のイベントを契機として、パスワード入力に用いられる複数のキーボタンの位置関係を変更して表示する。
【００４９】
そのため、第三者がキーボタンの位置を予測することが困難となり、パスワード入力を行う際の手の動きからパスワードを推測することが困難となる。
【００５０】
なお、本実施形態においては、パスワードの入力状態において、キーボタン５１の表示位置は固定である例を用いて説明したが、これに限られるものではない。例えば、パスワードの入力状態において、図８に示すように、入力画面８０内で各キーボタン５１が、矢印で示す方向に移動してもよい。キーボタン５１が移動することで、第三者が入力画面を盗み見た場合にも、パスワードを推測することがより困難となる。
【００５１】
また、本実施形態においては、パスワードの入力状態において、キーボタン５１は表示されたままである例を用いて説明したが、これに限られるものではない。例えば、各キーボタンを所定の時間間隔で点滅表示するようにしてもよい。各キーボタンを点滅表示することで、第三者が入力画面を盗み見た場合にも、パスワードを推測することがより困難となる。
【００５２】
また、本実施形態においては、各キーボタン５１が互いに重複しないように表示される例を用いて説明したが、これに限られるものではない。例えば、図９に示すように、入力画面９０内において、複数のキーボタン５１が重複して表示されてもよい。図９においては、数字の「６」が割り当てられたキーボタン５１−６が、数字の「３」が割り当てられたキーボタン５１−３と重複している。このように、キーボタンを重複して表示することで、第三者が入力画面を盗み見た場合にも、パスワードを推測することがより困難となる。なお、キーボタン５１−６とキーボタン５１−３とが重複している領域に入力手段の接触または近接が行われる場合がある。この場合、例えば、上側のキーボタン、図９の例では、キーボタン５１−６に対するタッチ入力が行われたものとして処理すればよい。
【００５３】
また、本実施形態においては、入力パスワードと認証用パスワードとが一致するか否かの判定を１回行う例を用いて説明したが、これに限られるものではない。例えば、異なる認証用パスワードを２以上用意し、入力パスワードと認証用パスワードとが一致するか否かの判定を２回以上行うこととしてもよい。
【００５４】
また、本実施形態においては、入力画面に含まれるキーボタンに数字が割り当てられる例を用いて説明したが、これに限られるものではない。例えば、アルファベットなどの英文字や記号などが含まれる認証用パスワードが設定可能である場合には、アルファベットなどの英文字や記号などをキーボタンに割り当ててもよい。
【００５５】
また、本実施形態においては、入力パスワードと認証用パスワードとが一致しない場合に、再度、パスワード入力を求める例を用いて説明したが、これに限られるものではない。例えば、入力パスワードと認証用パスワードとが一致しない場合に、所定時間はパスワード入力を行うことができないようにしてもよい。入力パスワードと認証用パスワードとが一致しない場合に、所定時間はパスワード入力を行うことができないようにすることで、第三者が連続的にパスワード入力を行い、ロック状態を解除することができなくなるので、よりセキュリティの向上を図ることができる。
【００５６】
また、本実施形態においては、数字の「０」から「９」がそれぞれ割り当てられたキーボタンを１つずつ表示部１１に表示する例を用いて説明したが、これに限られるものではない。例えば、同じ文字が割り当てられた複数のキーボタンを表示部１１に表示するようにしてもよい。
【００５７】
また、本実施形態においては、パスワード入力を行う旨の入力を契機として、入力画面における複数のキーボタンの位置関係を変更する例を用いて説明したが、これに限られるものではない。例えば、パスワードの入力状態において所定時間が経過するたびに、複数のキーボタンの位置関係を変更するようにしてもよい。また、キーボタンに対するタッチ入力が、１回あるいは複数回行われたことを契機として、複数のキーボタンの位置関係を変更するようにしてもよい。
【００５８】
また、本実施形態においては、パスワード入力が行われる場合に、入力画面における複数のキーボタンの位置関係を変更する例を用いて説明したが、これに限られるものではない。例えば、電話番号を入力するような場合にも、第三者にその電話番号が推測されないように、複数のキーボタンの位置関係を変更するようにしてもよい。
【００５９】
なお、本発明の入力装置１０にて行われる方法は、コンピュータに実行させるためのプログラムに適用してもよい。また、そのプログラムを記憶媒体に格納することも可能であり、ネットワークを介して外部に提供することも可能である。
【００６０】
上記の実施形態の一部または全部は、以下の付記のようにも記載されうるが、以下には限られない。
【００６１】
（付記１）
表示部と、
前記表示部に重ね合わせて配置されたタッチ面への入力手段の接触または近接を検出し、前記入力手段の接触または近接を検出した前記タッチ面上の位置を示す位置信号を出力する入力検出部と、
文字入力を行う旨が入力されると、文字入力に用いられる複数のキーボタンを前記表示部に表示させる制御部と、を有し、
前記制御部は、所定のイベントを契機として前記複数のキーボタンの位置関係を変更することを特徴とする入力装置。
【００６２】
（付記２）
付記１記載の入力装置において、
前記制御部は、前記複数のキーボタンの位置関係をランダムに変更することを特徴とする入力装置。
（付記３）
付記１または２記載の入力装置において、
前記制御部は、前記複数のキーボタンを表示可能な範囲内において分散して表示させることを特徴とする入力装置。
【００６３】
（付記４）
付記１から３のいずれか１項に記載の入力装置において、
前記制御部は、前記文字入力状態において、前記キーボタンの位置を移動させながら表示させることを特徴とする入力装置。
【００６４】
（付記５）
付記１から４のいずれか１項に記載の入力装置において、
前記制御部は、前記文字入力状態において、前記キーボタンを点滅表示させることを特徴とする入力装置。
【００６５】
（付記６）
付記１から５のいずれか１項に記載の入力装置において、
前記制御部は、前記文字入力を行う旨の入力を契機として前記複数のキーボタンの位置関係を変更することを特徴とする入力装置。
【００６６】
（付記７）
付記１から５のいずれか１項に記載の入力装置において、
前記制御部は、前記文字入力状態において所定時間の経過を契機として前記複数のキーボタンの位置関係を変更することを特徴とする入力装置。
【００６７】
（付記８）
付記１から５のいずれか１項に記載の入力装置において、
前記制御部は、前記キーボタンの表示位置に対応するタッチ面上の位置に前記入力手段の接触または近接させるタッチ入力が行われることを契機として前記複数のキーボタンの位置関係を変更することを特徴とする入力装置。
【００６８】
（付記９）
付記８記載の入力装置において、
前記制御部は、前記タッチ入力が複数回行われることを契機として前記複数のキーボタンの位置関係を変更することを特徴とする入力装置。
【００６９】
（付記１０）
付記１から９のいずれか１項に記載の入力装置において、
前記制御部は、前記入力検出部から出力された前記位置信号に示される前記タッチ面上の位置に対応する前記表示部上の位置に表示されているキーボタンに基づき入力パスワードを特定し、該特定した入力パスワードと予め設定された認証用パスワードとが一致する場合にユーザ認証が完了したものとすることを特徴とする入力装置。
【００７０】
（付記１１）
付記１０記載の入力装置において、
前記制御部は、前記特定した入力パスワードと前記認証用パスワードとが一致しない場合、前記パスワードの入力を所定時間不可とすることを特徴とする入力装置。
【００７１】
（付記１２）
表示部と、前記表示部に重ね合わせて配置されたタッチ面への入力手段の接触または近接を検出し、前記入力手段の接触または近接を検出した前記タッチ面上の位置を示す位置信号を出力する入力検出部と、を有し、文字入力を受け付ける入力装置の制御方法であって、
文字入力を行う旨が入力されると、文字入力に用いられる複数のキーボタンを前記表示部に表示させ、
所定のイベントを契機として前記複数のキーボタンの位置関係を変更することを特徴とする入力装置の制御方法。
【００７２】
（付記１３）
表示部と、前記表示部に重ね合わせて配置されたタッチ面への入力手段の接触または近接を検出し、前記入力手段の接触または近接を検出した前記タッチ面上の位置を示す位置信号を出力する入力検出部と、を有し、文字入力を受け付ける入力装置に、
文字入力を行う旨が入力されると、文字入力に用いられる複数のキーボタンを前記表示部に表示させる処理と、
所定のイベントを契機として前記複数のキーボタンの位置関係を変更する処理と、を実行させるプログラム。
【００７３】
（付記１４）
付記１から付記１１のいずれか１項に記載の入力装置を備える情報処理装置。
【符号の説明】
【００７４】
１０    入力装置
１１    表示部
１２    入力検出部
１３    制御部
３１    数字ボタン
３２    「＃」ボタン
３３    「＊」ボタン
４０，５０，６０，７０，８０、９０    入力画面
４１，５１，５１−３，５１−６    キーボタン
４２    ＯＫボタン
４３    キャンセルボタン
４４    入力表示領域
【図１】
2013168001.tif 000003
【図２】
2013168001.tif 000004
【図３】
2013168001.tif 000005
【図４】
2013168001.tif 000006
【図５】
2013168001.tif 000007
【図６】
2013168001.tif 000008
【図７】
2013168001.tif 000009
【図８】
2013168001.tif 000010
【図９】
2013168001.tif 000011